(57)【要約】【課題】  刈払機を接地させて使いやすい刈払機の接地体及び刈払機を提供する。【解決手段】  刈払機Ｂの回転刃１の下面に取り付けられ、回転刃１とともに回転して地表面Ｅに摺接される刈払機の接地体Ａを、合成樹脂製の接地部５に金属製の取付板３をインサート成形したものとする。上記取付板３は、プレス成型して形成した段差によって、取付板３の外周上縁部に他よりも高い環状部３４を形成し、環状部３４の上面を回転刃取付面８にすると共に、環状部３４に周方向に間隔を隔てて貫通孔１７を形成し、環状の回転刃取付面８の半径方向の中間部には貫通孔１８を周方向につなぐように隆起した当接リブ３６を形成したものとする。そして、上記取付板３の貫通孔１７に接地部５の合成樹脂部分を導入する。【選択図】図４
2008295465.tif 000002
【特許請求の範囲】
【請求項１】
刈払機の回転刃の下面に取り付けられ、回転刃とともに回転して地表面に摺接される刈払機の接地体であって、上記接地体は、刈払機の駆動軸が挿通されて取り付けられる金属製の取付板と、駆動軸の下端部を収容する凹所を内部に形成して外形を略椀形とした合成樹脂製の接地部とを、合成樹脂製の接地部に金属製の取付板をインサート成形することで一体となって回転するように結合させたものとし、上記取付板は、プレス成型して形成した段差によって、取付板の外周上縁部に他よりも高い環状部を形成し、環状部の上面を回転刃取付面にすると共に、環状部に周方向に間隔を隔てて貫通孔を形成し、環状の回転刃取付面の半径方向の中間部には貫通孔を周方向につなぐように隆起した当接リブを形成したものとし、上記取付板の貫通孔に接地部の合成樹脂部分を導入して成ることを特徴とする刈払機の接地体。
【請求項２】
請求項１に記載の接地体を備えていることを特徴とする刈払機。
【発明の詳細な説明】
【技術分野】
【０００１】
本発明は、草刈り用の刈払機の接地体及び刈払機に関する。
【背景技術】
【０００２】
チップソーのような回転刃を取り付けた草刈り作業においては（例えば、特許文献１参照）、刈払機より延出されている肩紐を肩に掛け、回転刃を地表面より望む高さに浮上させながら、ハンドルを持って刈払機を左右に揺動させる作業となり、労力を要するものとなっていた。
【特許文献１】特開平８−１３０９６１号公報
【発明の開示】
【発明が解決しようとする課題】
【０００３】
本発明はこのような問題を解決すべく発明されたものであって、刈払機を接地させて使いやすい刈払機の接地体及び刈払機を提供することを課題とするものである。
【課題を解決するための手段】
【０００４】
請求項１に係る発明は、刈払機Ｂの回転刃１の下面に取り付けられ、回転刃１とともに回転して地表面Ｅに摺接される刈払機の接地体Ａである。上記接地体Ａは、刈払機Ｂの駆動軸２が挿通されて取り付けられる金属製の取付板３と、駆動軸２の下端部を収容する凹所４を内部に形成して外形を略椀形とした合成樹脂製の接地部５とを、合成樹脂製の接地部５に金属製の取付板３をインサート成形することで一体となって回転するように結合させたものとする。上記取付板３は、プレス成型して形成した段差によって、取付板３の外周上縁部に他よりも高い環状部３４を形成し、環状部３４の上面を回転刃取付面８にすると共に、環状部３４に周方向に間隔を隔てて貫通孔１７を形成し、環状の回転刃取付面８の半径方向の中間部には貫通孔１７を周方向につなぐように隆起した当接リブ３６を形成したものとする。そして、上記取付板３の貫通孔１７に接地部５の合成樹脂部分を導入する。
【０００５】
このような構成によれば、回転刃１の下面側に取り付けられた接地体Ａは回転刃１とともに回転して地表面Ｅに摺接するから、回転刃１を地表面Ｅより一定の高さに維持することができる。
【０００６】
また、接地部５を合成樹脂製として軽量化して大径にできて安定的な接地ができながら、金属製の取付板３にて取り付け強度を高め、インサート成形にて両者の結合強度を高めることができる。
【０００７】
加えて、環状の回転刃取付面８より隆起している当接リブ３６は合成樹脂部分３５で分断されているとはいえ略環状に形成されているから、取付板３をプレス成型して段差を形成するとともに貫通孔１７を打ち抜き加工したときに、金属板の取付板３に歪が生じて回転刃取付面８にも歪が発生していたとしても、回転刃取付面８より一段高く、かつ、略環状となった当接リブ３６が回転刃１に安定的に当接することができ、回転刃１の取り付けを良好におこなうことができる。
【０００８】
請求項２に係る発明のように、請求項１に記載の接地体Ａを備えている刈払機Ｂにおいても、請求項１に記載の作用効果を得ることができる。
【発明の効果】
【０００９】
要するに本発明は、合成樹脂製の接地部を安定的に接地させて使いやすく、且つ、回転刃の取り付けを良好におこなうことができる。
【発明を実施するための最良の形態】
【００１０】
以下、本発明の実施の一形態を添付図面に基いて説明する。図１（ａ）は接地体Ａを刈払機Ｂに取り付けた要部の側断面図、同図（ｂ）は部分拡大断面図であり、図２は刈払機Ｂの斜視図である。
【００１１】
刈払機Ｂは、中空の主軸１４の内部に回転軸３２を挿通し、回転軸３２の下端部に水平回転伝導部を構成し、水平回転伝導部より駆動軸２を垂下し、駆動軸２に下方から締め手段によってチップソーのような回転刃１が取替え可能に取付けられている。主軸１４の途中にはハンドル１３を設けて上端部にはエンジン１５を搭載して、エンジン１５の駆動にて回転軸３２、水平回転伝導部、駆動軸２を介して回転刃１を駆動回転させるようにしている。主軸１４には安全カバー１６を付設するとともに肩紐１２を設けてあり、肩紐１２を肩に掛けてハンドル１３を持って刈払機Ｂを左方に揺動させて草刈りをおこなうようにしている。
【００１２】
接地体Ａは、刈払機Ｂの駆動軸２が挿通されて取り付けられる取付板３と、駆動軸２の下端部を収容する凹所４を内部に形成して外形が略椀形となった接地部５とで形成されている。接地部５は合成樹脂製で軽量化し、大径として接地安定化を図っている。接地部５に金属板製で機械的強度がある取付板３が取付金具としてインサート成形して一体化している。取付板３には段付きの貫通孔１７が周方向に間隔を隔てて複数個形成されていて、合成樹脂部分３５が貫通孔１７に充填されることで、取付板３と接地部５との接続強度を十分なものにしている。接地部５の底部には他よりも厚さを厚くした耐磨耗部１１を形成している。耐摩耗部１１の上方には周方向に間隔を隔てて凹所３３を形成して、耐摩耗部１１が摩耗したとき、凹所３３に連通する貫通孔が接地部５の底部に現れ、これを目視にて認識することで接地体Ａの寿命を知ることができるようにしている。
【００１３】
接地部５の外周上縁部に通孔６が形成され、例えば合成樹脂製で柔軟な紐状のロープカッター７（宇部興産（株）製のエンジニアリングプラスチックを使用するナイロンコード）が接地部５の内部から挿通され、ロープカッター７の端部にかしめ等にて付設している大径部２５によって抜止めを図っている。大径部２５を持ってロープカッター７を通孔６より抜き出すことでロープカッター７を接地部５より外すことができ、また、ロープカッター７を通孔６に挿通して大径部２５で抜止めを図ってロープカッター７を接地部５に取り付けることができるようにしている。ロープカッター７の先端部が回転刃１よりも外側を通過するようにロープカッター７の回転軌跡を回転刃１の回転軌跡よりも大きくしている。ロープカッター７の断面は、丸、三角、四角等がある。
【００１４】
刈払機Ｂの駆動軸２にはスプライン軸部１８と雄ねじ部１９が形成されている。駆動軸２のスプライン軸部１８には刈払機Ｂ側に備品として備えられている受け金具１０のスプライン孔２０が嵌合され、回転刃１の円形の挿通孔２１が受け金具１０のボス２２に挿通され、接地体Ａの取付板３の挿通孔２３が駆動軸２に挿通され、雄ねじ部１９にナット２４がねじ込まれることで、回転刃１を取り付けていて、駆動軸２の回転に伴って回転刃１を駆動回転できるようにしている。
【００１５】
このように、接地体Ａにはロープカッター７を備えていて、チップソーのような回転刃１とロープカッター７とを併用できるのであり、併用に際して、ロープカッター７の回転軌跡は回転刃１の回転軌跡よりも大きくしていて、ロープカッター７の先端部が回転刃１よりも外側を通過させるのであり、チップソーのような回転刃１をコンクリート壁のような壁際や石塊等の障害物Ｄに触れさせることなく、柔軟なロープカッター７にて障害物Ｄの近くの草を安全に刈り取ることができる。
【００１６】
このとき、回転刃１の下面側に取り付けられた接地体Ａは回転刃１とともに回転して地表面Ｅに摺接するのであり、ロープカッター７及び回転刃１を地表面Ｅより一定の高さに維持することができ、肩紐１２を肩に掛け、ハンドル１３を持ってロープカッター７及び回転刃１を地表面Ｅから一定の高さに維持して、刈払機Ｂを左右に揺動させる草刈り作業が、誰にでも楽に、かつ、望むとおりにできる。
【００１７】
図４に示すように、取付板３は、プレス成型されて段差を形成し、回転刃１を取り付けるための回転刃取付面８を上面に、回転刃１を外したときに接地体Ａを取り付けるための接地体取付面９を段差を付けて下位に形成している。刈払機Ｂ側の備品である受け金具１０にボス２２を突出させて段差が形成され、回転刃１を取り付けるための回転刃受面２７と、回転刃１を外したときに接地体Ａを取り付けるための接地体受面２８をボス２２の下面に形成している。ボス２２の外径と取付板３の外周上縁部の環状部３４の内径Ｆとを等しくしていて、ボス２２の外周面が環状部３４の内周面３７に全周にわたって当接することで、接地体Ａの芯出しをおこなうことができるようにしている。
【００１８】
回転刃１を取り付けたとき、回転刃１は受け金具１０の回転刃受面２７と取付板３の回転刃取付面８との間に保持され、受け金具１０の接地体受面２８と取付板３の接地体取付面９との間には、回転刃１の厚みよりも薄いギャップＧが形成されている（図１参照）。
【００１９】
このように、回転刃１を取り付けた状態において、取付板３の接地体取付面９と受け金具１０との間に、回転刃１の厚みよりも薄いギャップＧが形成されていて、回転刃１を外して接地体Ａを取り付けるとき、回転刃１の厚みよりも薄いギャップＧの分だけ接地体Ａが受け金具１０側に近づいて、取付板３の接地体取付面９が受け金具１０の接地体受面２８に当接して、回転刃１を外した状態でロープカッター７を備えた接地体Ａを取り付けることができ、ロープカッター７のみの草刈りが可能となる（図３、図６（ｂ）参照）。また、接地体Ａを刈払機Ｂから外し、大径部２５を持ってロープカッター７を接地部５より外し、その後、接地体Ａを刈払機Ｂに取り付けることで、回転刃１のみによる草刈りができる（図６（ｃ）参照）。
【００２０】
以上のように、回転刃１とロープカッター７を併用すること、ロープカッター７のみを使用すること、回転刃１のみを使用することの選択ができ、状況に応じて使い分けることができる。
【００２１】
図４に示すように、取付板３はプレス成型されて段差を形成し、段差によって、取付板３の外周上縁部に環状部３４を他よりも高く形成している。環状部３４の上面に回転刃取付面８を形成している。環状部３４には周方向に間隔を隔てて貫通孔１７を形成している。貫通孔１７の孔縁、及び、環状部３４の上部外縁に面取りがされてテーパー３８が形成され、このテーパー３８に合成樹脂が回り込むことで、取付板３と接地部５との結合強度を高めて取付板３の抜止めを図っている。環状の回転刃取付面８の半径方向の中間部に周方向に貫通孔１７をつなぐように隆起した当接リブ３６を形成している。当接リブ３６の高さは０．０２ｍｍ程度であるが、適宜に変更可能である。貫通孔１７には接地部５の合成樹脂部分３５が導入され、導入された合成樹脂部分３５の上面を回転刃取付面８と略面一にしている。
【００２２】
このように、環状の回転刃取付面８の半径方向の中間部には、環状部３４に周方向に間隔を隔てて形成した貫通孔１７をつなぐように隆起した当接リブ３６が形成されているのであり、弧状の当接リブ３６、３６の間には当接リブ３６の高さだけ低くなって、回転刃取付面８と略面一になっている合成樹脂部分３５の頂面が存在するのであり、このように当接リブ３６が周方向に分断されているとはいえ略環状に形成されているから、取付板３をプレス成型して段差を形成するとともに貫通孔１７を打ち抜き加工したときに、金属板の取付板３に歪が生じて回転刃取付面８にも歪が発生していたとしても、回転刃取付面８より一段高く、かつ、略環状となった当接リブ３６が回転刃１に安定的に当接することができ、回転刃１の取り付けを良好におこなうことができる。
【００２３】
ところで、ロープカッター７はチップソーのような回転刃１に比べて摩耗しやすく、また、先端部が飛散するなど、交換が必要となるものであり、ロープカッター７の交換を容易おこなえることが望ましい。図７は交換を容易におこなえる実施の一形態を示し、同図（ａ）においては、接地部５に、ロープカッター７の大径部２５より小幅でロープカッター７のロープ径より大きい幅のＬ形長孔２９を形成し、Ｌ形長孔２９の下端部に大径部２５より大きい通孔６を形成して、接地体Ａを刈払機Ｂに取り付けたまま、ロープカッター７を接地部５に着脱できるようにしたものである。この場合、Ｌ形長孔２９の水平長孔３０は縦長孔の上端より回転刃１の回転方向とは反対方向に長く形成して、作業中にロープカッター７が抜けないようにしている。Ｌ形長孔２９に代えて水平長孔３０のみにすることや斜め長孔にすることができる。図７（ｂ）においては、耐摩耗部１１の上方にも通孔６を形成して接地部５の凹所４よりロープカッター７の交換をおこなえるようにしたものである。このように、ロープカッター７を接地体Ａの外部から取り替え可能とする構成は種々設計変更可能である。
【００２４】
以上述べた接地体Ａの実施形態においては、合成樹脂製の接地部５に金属板の取付板３をインサート成形している。接地体Ａの他の実施の形態として、接地部５と取付板３とを別体に形成し、取付板３の上記貫通孔１７に、例えば、接地部５に予め突出して形成しておく合成樹脂部分３５を挿入して、接地部５と取付板３との結合を図ってもよい。接地部５と取付板３との結合の形態は、本発明の精神を逸脱しない範囲で変更することができる。
【図面の簡単な説明】
【００２５】
【図１】本発明の実施の一形態を示し、（ａ）は接地体を刈払機に取り付けた要部の側断面図、（ｂ）は部分拡大断面図である。
【図２】同上の刈払機の斜視図である。
【図３】同上の回転刃を外しロープカッターによる刈払いをおこなう使用形態を示す要部の側断面図である。
【図４】同上の取付板を示し、（ａ）は平面図、（ｂ）は断面図である。
【図５】同上の接地体を示し、（ａ）は下方からの斜視図、（ｂ）は上方からの斜視図である。
【図６】同上の種々の使用形態の説明図であり、（ａ）は回転刃とロープカッターとを併用する使用形態、（ｂ）は回転刃を外しロープカッターによる刈払いをおこなう使用形態、（ｃ）はロープカッターを外し回転刃による刈払いをおこなう使用形態を示す説明図である。
【図７】同上の他の実施の形態を示し、（ａ）（ｂ）は接地体を外さないでロープカッターを取り付け及び取り外すことができる構成を示す説明図である。
【符号の説明】
【００２６】
Ａ  接地体
Ｂ  刈払機
Ｅ  地表面
１  回転刃
３  取付板
５  接地部
１７  貫通孔
３４  環状部
３６  当接リブ
【図１】
2008295465.tif 000003
【図２】
2008295465.tif 000004
【図３】
2008295465.tif 000005
【図４】
2008295465.tif 000006
【図５】
2008295465.tif 000007
【図６】
2008295465.tif 000008
【図７】
2008295465.tif 000009